(57)【特許請求の範囲】
【請求項１】
左右対向する１対の支柱部材を具える支持台と該支持台に着脱可能に装着される鉈とを具える薪割り装置であって、
左右１対の該支柱部材には、該鉈の刃体を、該刃体の一側部に設けられている刃部を上向きにしてその長さ方向の先端部から挿入させ得る左右の挿入開口部が設けられており、
左右の該挿入開口部に該刃体の前記先端部側の部分と該刃体の基端部側の部分が挿入されて該刃体が左右の前記支柱部材間に架け渡され、且つ該刃体の他側縁が左右の該挿入開口部の底部で支持された鉈装着状態で、上向きの前記刃部の上端に薪の下端を当てて該薪の上端を下方向に打圧することにより該薪を該刃体で割ることができる一方、前記刃体を左右の前記挿入開口部から引き抜くことによって前記鉈を前記支持台から取り外すことができ、
一対の前記支柱部材が木製であり、左右の前記挿入開口部の前記底部に、前記刃体の前記他側縁を下方から支持する金属製の受片が設けられていることを特徴とする薪割り装置。
【請求項２】
前記受片は、前記支柱部材を貫通するボルト軸であり、該貫通状態にある該ボルト軸の上端部が前記挿入開口部の底部に存することを特徴とする請求項１記載の薪割り装置。
【請求項３】
左右の前記挿入開口部に前記刃体が挿入された状態で、前記刃体の基端部を前記刃体の前記先端部よりも高く位置させることによって前記刃部の上端を、水平面に対して所要角度に傾斜させることを特徴とする請求項１又は２記載の薪割り装置。
【請求項４】
前記刃部の傾斜角度を調節可能としたことを特徴とする請求項３記載の薪割り装置。
【請求項５】
１対の前記支柱部材の下部間が連結部材で連結されており、該連結部材の上端部は、該上端部の前後の部分が逆方向で下方に傾斜する山形状傾斜面として形成されており、該山形状傾斜面の頂部が前記刃部の略真下に位置することを特徴とする請求項１〜４の何れかに記載の薪割り装置。
【請求項６】
前記山形状傾斜面は、該山形状傾斜面に当接する山形状の金属製カバー片で被覆されていることを特徴とする請求項５記載の薪割り装置。
【請求項７】
請求項１〜６の何れかに記載の薪割り装置を構成する支持台。
【発明の詳細な説明】
【技術分野】
【０００１】
本発明は薪割り装置に関するものであり、より詳しくは、薪を安全に且つ能率的に割ることができ、又手入れも容易である薪割り装置に関するものである。
【背景技術】
【０００２】
例えばキャンプ等の野外活動で薪割りを行う場合、薪の上端に鉈の刃を当てて行うことが多くみられる。該鉈を用いる薪割りは、重く且つ危険な鉈を片手で持ち該鉈の刃部を薪の上端に当て該鉈を上下させる人力作業を繰り返す必要があり作業能率が悪かった。又、薪割りの際に作業者の手が鉈の刃に触れて怪我をする恐れがあり危険でもあった。
【０００３】
そこで、薪割りを人力で安全且つ能率的に行うことができるようにせんとして、特許文献1 が開示する薪割り器が提供されている。該薪割り器は、薪の上端に鉈の刃を当てるのではなく、薪割り作業を行う場所に設置した立設刃の刃先に薪の下端を乗せ、該薪の上端をハンマーで下方向に打圧することによって薪の下部に刃先を切込ませ、更にハンマーで打圧することによって薪割りを行うように構成されていた。該薪割り器は、立設する長刃と、該長刃の一端と連結すると共に所定角度開いて立設する２枚以上の傾斜刃とから構成されており、該長刃には外側から所定長さの水平刃先を設けると共に該水平刃先から中央に向かって下がった傾斜刃先を設け、該傾斜刃の刃先が中央に向かって下がるように配置されてなる特殊形態の刃を有するものであった。
【０００４】
そのため、かかる特別構成の薪割り器によるときには、刃先を研ぐ等の薪割り器の手入れを容易に行うことができない問題があった他、危険な刃がむき出しの状態にあるために慎重に運搬する必要があった。又、このような特殊形態の刃を有することから該薪割り器の製造コストが高くついて製品価格が高くなり、キャンプ等の野外活動において誰でもが気軽に入手できるものではなかった。
【先行技術文献】
【特許文献】
【０００５】
【特許文献１】特開２００４−３０５２５６号
【発明の概要】
【発明が解決しようとする課題】
【０００６】
本発明はかかる従来の問題点に鑑みて開発されたものであり、薪を安全に且つ能率的に割ることができるだけでなく、手入れを容易に行うことができ、安全に運搬でき、しかも製造コストを低減し得る薪割り装置の提供を課題とするものである。
【課題を解決するための手段】
【０００７】
前記課題を解決するため本発明は以下の手段を採用する。
即ち本発明に係る薪割り装置の第１の態様は、左右対向する１対の支柱部材を具える支持台と該支持台に着脱可能に装着される鉈とを具える薪割り装置であって、左右１対の該支柱部材には、該鉈の刃体を、該刃体の一側部に設けられている刃部を上向きにしてその長さ方向の先端部から挿入させ得る左右の挿入開口部が設けられている。そして、左右の該挿入開口部に該刃体の前記先端部側の部分と該刃体の基端部側の部分が挿入されて該刃体が左右の前記支柱部材間に架け渡され、且つ該刃体の他側縁が左右の該挿入開口部の底部で支持された鉈装着状態で、上向きの前記刃部の上端（刃先）に薪の下端を当てて該薪の上端を下方向に打圧することにより該薪を該刃体で割ることができる。又、前記刃体を左右の前記挿入開口部から引き抜くことによって前記鉈を前記支持台から取り外すことができることを特徴とするものである。
【０００８】
本発明に係る薪割り装置の第２の態様は、前記第１の態様において、一対の前記支柱部材が木製であり、左右の前記挿入開口部の前記底部に、前記刃体の前記他側縁を下方から支持する金属製の受片が設けられていることを特徴とするものである。
【０００９】
本発明に係る薪割り装置の第３の態様は、前記第２の態様において、前記受片は、前記支柱部材を貫通するボルト軸であり、貫通状態にある該ボルト軸の上端部が前記挿入開口部の底部に存することを特徴とするものである。
【００１０】
本発明に係る薪割り装置の第４の態様は、前記第１〜３の何れかの態様において、左右の前記挿入開口部に前記刃体が挿入された状態で、前記刃体の基端部を前記刃体の前記先端部よりも高く位置させることによって前記刃部の上端（刃先）を、水平面に対して所要角度に傾斜させることを特徴とするものである。
【００１１】
本発明に係る薪割り装置の第５の態様は、前記第４の態様において、前記刃部の傾斜角度を調節可能としたことを特徴とするものである。
【００１２】
本発明に係る薪割り装置の第６の態様は、前記第１〜第５の態様において、１対の前記支柱部材の下部間が連結部材で連結されており、該連結部材の上端部は、該上端部の前後の部分が逆方向で下方に傾斜する山形状傾斜面として形成されており、該山形状傾斜面の頂部が前記刃部の略真下に位置することを特徴とするものである。
【００１３】
本発明に係る薪割り装置の第７の態様は、前記第６の態様において、前記山形状傾斜面は、該山形状傾斜面に当接する山形状の金属製カバー片で被覆されていることを特徴とするものである。
【００１４】
本発明に係る支持台は、前記第１〜第７の態様の薪割り装置を構成する支持台である。
【発明の効果】
【００１５】
本発明によるときは、薪を安全に且つ能率的に割ることができるだけでなく、手入れを容易に行うことができ、又安全に運搬でき、しかも製造コストを低減し得る薪割り装置を提供できる。
【図面の簡単な説明】
【００１６】
【図１】本発明に係る薪割り装置を、支持台と鉈とに分解して示す一部断面正面図である。
【図２】本発明に係る薪割り装置を示す斜視図である。
【図３】本発明に係る薪割り装置の使用状態を説明する説明図である。
【図４】ボルト軸としての受片を挿入開口部の底部に設けた状態を示す断面図である。
【図５】一対の支柱部材の下部相互を連結する連結部材の上端部を構成する山形状傾斜面の作用を説明する説明図である。
【図６】刃部の上端を水平面に対して傾斜させてなる薪割り装置を示す正面図である。
【図７】本発明に係る薪割り装置の使用態様の一例を示す説明図である。
【図８】本発明に係る薪割り装置の使用態様の他の例を示す説明図である。
【発明を実施するための形態】
【実施例１】
【００１７】
図１〜４において本発明に係る薪割り装置１は、左右対向する一対の支柱部材２，３を具える支持台５と該支持台５に対して着脱可能に装着される鉈６とを具えている。左右一対の該支柱部材２，３には、該鉈６の刃体７を、該刃体７の一側部９に設けられている刃部１０を上向きにしてその長さ方向の先端部１１から挿入させ得る左右の挿入開口部１２，１３が設けられている。
【００１８】
そして図２〜３に示すように、該刃体７の前記先端部１１側の部分１５と該刃体７の基端部側の部分１６が左右の該挿入開口部１２，１３に挿入されて、該刃体７が左右の前記支柱部材２，３間に架け渡され、この状態で、刃体７の他側縁１７が左右の該挿入開口部１２，１３の底部１９，２０で支持される。かかる鉈装着状態２１( 図２〜３) で、上向きの前記刃部１０の上端２２（刃先）８に薪２３の下端２５を当てて該薪２３の上端２６をハンマーで下方向に打圧することにより、該薪２３を該刃体７で割ることができる。そして該薪割り作業が終了した後は、前記刃体７を左右の前記挿入開口部１２，１３から引き抜くことによって、前記鉈６を前記支持台５から取り外すことができる。該鉈６の装着時及び取り外し時における該鉈６の挿入方向及び引き抜き方向を、図３に矢印Ｆ１，Ｆ２で示している。
【００１９】
以下、これをより具体的に説明する。前記支持台５は本実施例においては全体が木製であり、左右対向する一対の支柱部材２，３が台座２７に立設され、一対の該支柱部材２，３の下部間は連結部材２９で連結されている。該連結部材２９の上端部３０は、図２、図５に示すように、該上端部３０の前後の部分３１，３２が逆方向で下方に傾斜する山形状傾斜面３３を呈しており、該山形状傾斜面３３の頂部３５が前記刃部１９の略真下に位置する。
【００２０】
そして、左右一対の該支柱部材２，３には、前記鉈６の前記刃体７を、該刃体７の前記一側部９に設けられている刃部１０を上向きにしてその長さ方向の先端部１１（図１〜２）から挿入させ得る左右の前記挿入開口部１２，１３が設けられている。図２〜３は、左右の該挿入開口部１２，１３に前記刃体７の前記先端側の部分１５と前記刃体７の基端部側の部分１６が挿入されて該刃体７が左右の前記支柱部材２，３間に架け渡された状態を示している。本実施例においては、左右の該挿入開口部１２，１３は前記刃体７の横断面形状に略合致させて設けられている。そのため該刃体７は、安定した架け渡し状態で前記一対の支柱部材２，３に保持され、前記刃部１０の上端２２が水平状態を呈している。該架け渡された状態で、前記のように、該刃体７の前記他側縁１７が該挿入開口部１２，１３の底部１９，２０で支持される。
【００２１】
本実施例においては、一対の前記支柱部材２，３が木製であるため、ハンマーによる前記打圧時に、左右の前記挿入開口部１２，１３の前記底部１９，２０に掛る衝撃によって該底部１９, ２０が変形する恐れがある。そこで本実施例においては、前記挿入開口部１２，１３の前記底部１９，２０に、前記刃体７の前記他側縁１７を下方から支持する金属製の受片３７，３７を設けている。該受片３７，３７は、例えば、前記支柱部材２，３を貫通するボルト軸３９を以って構成できる。そのために図１、図４に示すように、前記挿入開口部１２，１３の下側部位４０で、前記支柱部材２，３を該挿入開口部１２，１３の幅方向（前後方向）に貫通する貫通孔４１，４１を設け、該貫通孔４１，４１に前記ボルト軸３９，３９を挿通させている。
【００２２】
該貫通孔４１，４１の夫々に挿通されたボルト軸３９，３９の一端に設けられているボルト頭４２，４２は、図４に示すように該貫通孔４１，４１の一方の端部の縁部分４３に座金４４を介して当接する一方、該ボルト軸３９，３９の他端部分４５，４５には、図４に示すように、座金４４を介してナット４６，４６が螺締され、これによって該ボルト軸３９，３９が前記支柱部材２，３に固定されている。該ボルト軸３９，３９の夫々の上端４７，４７は、前記挿入開口部１２，１３の底部１９，２０に存する。
【００２３】
前記刃体７が左右の前記支柱部材２, ３間に架け渡され且つ該刃体７の前記他側縁１７が前記挿入開口部１２，１３の底部１９，２０で支持された鉈装着状態２１で、図３に示すように、上向きの前記刃部１０の上端２２に薪２３の下端２５を当てて該薪２３の上端２６をハンマーで下方向に打圧すると、該薪２３を該刃体７で割ることができる。この際における該打圧時の衝撃を前記ボルト３９（前記受片３７）で支持できるため、木製の前記支柱部材２, ３に設けられている前記挿入開口部１２，１３の底部１９，２０を保護できることとなる。
【００２４】
本実施例においては前記したように、木製である前記左右の支柱部材２, ３の下部４９, ４９を補強するために、該支柱部材２, ３の下部４９，４９間が前記連結部材２９で連結されている。該連結部材２９は木製であり、その上端部３０は、前記したように山形状傾斜面３３を呈している（図２、図５）。該山形状傾斜面３３は、本実施例においては二等辺三角形状の傾斜面として形成されており、その頂角は例えば６０度に設定されている。
【００２５】
該連結部材２９の上端部３０をかかる山形状傾斜面３３として構成しているのは、前記薪２３の長さが長い場合、図５（Ａ）に示すように、該薪２３の下端側の、前記刃体７によって割られて開いた部分５０に前記山形状傾斜面３３を入り込ませて、該薪２３の割れをより円滑に行わせるためである。この際における該山形状傾斜面３３の前記打圧に伴う損傷を防止するために、図５（Ｂ）に示すように、該山形状傾斜面３２を、これに当接する山形状の鉄製等の金属製カバー片５１で被覆するのがよい。
【００２６】
図６は、左右の前記挿入開口部１２，１３で前記刃体７が支持され且つ前記刃部１０の上端（刃先）２２が、水平面に対して所要角度に傾斜した状態を示している。このように構成する場合、薪２３の材質等に応じて最適の傾斜角度が得られるように、該刃部１０の該上端２２の傾斜角度を調節可能とするのがよい。該傾斜角度は、例えば３０度までの角度に設定する。図６はその一例を示すものであり、前記刃体７の基端部（鉈６の柄体５２が存する側の端部）５３を図３に示す場合よりも高く位置させ、前記刃部１０の上端２２を前記先端部１１に向けて下方に傾斜させた状態を示している。この傾斜角度の設定は、前記刃体７の基端部５３と前記挿入開口部１３（図６における右側の挿入開口部）の底部２０（図１）との間に角度調整片を介在させたり、或いは、前記ボルト軸３９等の前記受片３７の上下位置を例えば２段階に高さ調整可能に構成する等して行うことができる。
【００２７】
このように刃部１０の上端２２を傾斜状態にすると、前記薪２３の上端２６をハンマーで打圧したときに前記刃部１０の前記上端２２が該薪２３の下端部分５５に徐々に食い込むことになるため、薪割りをより円滑に行い得る利点がある。又このように刃部１０の上端２２を傾斜状態にすると前記鉈６は、上方に向けての抜け方向とは逆方向（図６において矢印で示す方向）に重力が作用する姿勢で前記支持台５に装着されることとなるため、該鉈６を、より安定状態で前記支持台５に取り付けることができる。
【００２８】
かかる構成を有する薪割り装置１を用いて行う薪割りは、図３や図６に示すように、薪２３の下端２５を鉈６の刃部１０の上端２２に乗せ、その後、該刃部１０から遠い該薪２３の上端２６をハンマーで下方向に打圧するものであり、該打圧によって、該刃部１０を該薪２３の下端部分５５に切り込ませて薪割りを行うものである。該薪割りは、この点で、重く且つ危険な鉈を片手で持ち該鉈の刃部を薪の上端に当てて薪割りを行う従来の鉈利用の薪割りとは明らかに異なる。
【００２９】
図７〜８は、薪２３を割る際において該薪２３の上端２６をハンマー５６で打圧した状態の一例を示すものである。図７における薪２３は比較的長いものである。図８における薪２３は比較的短いものであり、この場合は、該薪２３を持つ手５７を前記支柱部材２, ３の何れか一方の上端５９に載せることができるため、前記ハンマー５６による打圧を、より安定状態で行うことができる。
【００３０】
従って、キャンプ等の野外活動で薪割りを行う場合、小学校の低学年生であっても手が鉈の刃に触れることなく安全に薪割りでき、しかも簡易且つ能率的に薪割りを行うことができる。
【００３１】
図３において矢印Ｆ２で示すように前記鉈６を引き抜くことによって、該鉈６を前記支持台５から取り外すことができる。従って本発明に係る前記薪割り装置１を運搬する際は、該薪割り装置１を、前記鉈６が取り外された支持台５（図１）と、鞘に収容した鉈６とに分けて運搬できる。かかることから、該薪割り装置１を安全に運搬できることとなる。このように取り外された鉈６は、鉈単独でも、その本来の用途に使用できる。又、鉈６を取り外すことができるため、刃を研ぐことが容易である等、該薪割り装置１の手入れを容易に行うことができる利点がある。
【００３２】
又本発明に係る薪割り装置１で用いる刃体７は、特殊な専用のものではなく入手し易い市販の鉈であるため、該薪割り装置の製造コストを低減できることとなる。又、手持ちの鉈を用いて薪割り装置を構成することも可能であり、この場合は、前記支持台５だけを購入すれば該支持台５に手持ちの鉈を組み合わせることによって薪割り装置１をより安価に構成できることとなる。
【００３３】
本発明に係る薪割り装置１の構成は、次のように変更可能である。即ち、前記挿入開口部１２，１３の内の、前記刃体７の先端部１１側の部分１５が挿入される挿入開口部１２は、その外端が閉じた開口部であってもよい。又、前記刃体７は前記挿入開口部１２，１３に安定状態に装着されるものであるが、その装着手段は、係合手段や押圧手段、保着手段等、刃体６を安全に固定できる各種手段を採用できる。又、前記鉈６は、前記実施例で示した片刃であることの他、両刃であってもよい。
【符号の説明】
【００３４】
１  薪割り装置
２  支柱部材
３  支柱部材
５  支持台
６  鉈
７  刃体
９  一側部
１０  刃部
１１  先端部
１２  挿入開口部
１３  挿入開口部
１５  先端部側の部分
１６  基端部側の部分
１７  他側縁
１９  底部
２０  底部
２２  上端
２３  薪
２５  下端
２６  上端
２７  台座
２９  連結部材
３０  山形状傾斜面
３５  頂部
３７  受片
３９  ボルト軸
４１  貫通孔
４９  下部
５１  カバー片
５６  ハンマー    
５９  上端
【図１】
0006963655.tif 000002
【図２】
0006963655.tif 000003
【図３】
0006963655.tif 000004
【図４】
0006963655.tif 000005
【図５】
0006963655.tif 000006
【図６】
0006963655.tif 000007
【図７】
0006963655.tif 000008
【図８】
0006963655.tif 000009